(57)【要約】【課題】雄実と雌実の嵌合が容易な構造であり、かつ化粧板同士の隙間および取付誤差が生じにくく、表面に凹凸を付与した意匠性に優れた腰壁セットを提供する。【解決手段】  厚さの大きい腰壁用パネルＢについては床面１０に接するようにして、化粧シートが貼着されていない裏面を壁面９へ両面テープと接着剤（共に図示せず）を介して取り付ける。そして上端面側の前記凹溝８における壁面９の側の内壁面に厚さの小さい腰壁用パネルＡの下端面側凸条６のテーパ面７を壁面に対して斜め手前に傾けるように合わせ、予め裏面に両面テープと接着剤が設けられた前記厚さの小さい腰壁用パネルＡ全体を壁面９側へ徐々に傾きを起こしていくと、前記凸条６が前記凹溝８へと嵌まり、最後には鉛直方向へ指で力を加えると、完全に嵌合される。【選択図】  図３
2016191235.tif 000002
【特許請求の範囲】
【請求項１】
壁面に取り付けるための厚さが異なる横長矩形状をなした２種類の腰壁用パネルを少なくとも有した腰壁セットであって、厚さの小さい腰壁用パネルは、長手方向の上下両端面の前記壁面の側に切欠段部を設けることによって前記上下両端面に長手方向にわたる凸条が形成され、前記凸条の前記壁面の側は肉厚が先細りとなるようにテーパ面もしくは湾曲面とされており、厚さの大きい腰壁用パネルは、長手方向の上下両端面に前記凸条と嵌合する凹溝が長手方向にわたって形成され、前記２種類の腰壁用パネルは表面側に凹凸が現れるように前記凸条と凹溝が嵌合しながら交互に接合され、前記壁面に取り付けられるようにしたことを特徴とする腰壁セット。
【請求項２】
壁面に取り付けるための厚さが異なる横長矩形状をなした２種類の腰壁用パネルを少なくとも有した腰壁セットであって、厚さの小さい腰壁用パネルは、長手方向の上下両端面の前記壁面の側に切欠段部を設けることによって前記上下両端面に長手方向にわたる凸条が形成され、厚さの大きい腰壁用パネルは、長手方向の上下両端面に前記凸条と嵌合する凹溝が長手方向にわたって形成され、前記凹溝の前記壁面の側の内壁面は肉厚が先細りとなるようにテーパ面もしくは湾曲面とされており、前記２種類の腰壁用パネルは表面側に凹凸が現れるように前記凸条と凹溝が嵌合しながら交互に接合され、前記壁面に取り付けられるようにしたことを特徴とする腰壁セット。
【請求項３】
前記２種類の腰壁用パネルが交互に接合された際の前記凸条と凹溝の関係において、前記凸条根元付近または前記凹溝の溝底付近に前記テーパ面もしくは湾曲面が形成されていない部分が存在し、この部分においてほぼ隙間なく嵌合状態となることを特徴とする請求項１または請求項２に記載の腰壁セット。
【請求項４】
前記凸条の突出長さは、前記凹溝の深さよりも短いことを特徴とする請求項１〜請求項３のいずれかに記載の腰壁セット。
【発明の詳細な説明】
【技術分野】
【０００１】
本発明は、例えば建物の中の廊下に設けられる腰壁に関して、厚さが異なる２種類の腰壁用パネルを少なくとも有した腰壁セットに係るものである。
【背景技術】
【０００２】
従来、実開昭６２−１４１８３９号公報（特許文献１）にある壁面材では、第２図に開示されているように、厚さの異なった２種類以上の化粧板が、長手方向の木口面に設けられた雄実と雌実をもって相互に順次嵌合させられ、仕上がった壁面の表面に大きな凹凸を形成する技術は知られている。
【先行技術文献】
【特許文献】
【０００３】
【特許文献１】実開昭６２−１４１８３９号公報
【発明の概要】
【発明が解決しようとする課題】
【０００４】
前記特許文献１に示された従来技術によれば、壁面を構成する基板に化粧板を順次固着していく際に前記化粧板の裏面に固着用の両面テープと接着剤を併用する場合、隣接する一方の化粧板の実に嵌合する他方の化粧板の実を、壁面に極力近づけながら垂直方向に移動させる必要があった。その結果、隣接する前記化粧板の実と実が完全に嵌合する前に前記両面テープが前記基板にくっついてしまう可能性が大いにあるため、前記両面テープと接着剤を併用することが難しかった。また、前記特許文献１の第２図に開示されているように前記化粧板の雄実の先端部と雌実の溝底部の形状は実質同一であり、嵌合の状態は前記雌実の溝深さに依存する。そのために嵌合の手応えが分かりにくいうえに、嵌合の状態が不十分になりやすく、外観上不陸が見えてしまい意匠性が優れないこと、更に不陸を解消するための作業に手間がかかることが多々あった。本願発明は上記問題点を解消するためになされたもので、前記雄実と雌実の嵌合が容易な構造であり、かつ前記化粧板同士の隙間および取付誤差が生じにくく、表面に凹凸を付与した意匠性に優れた腰壁セットを提供することにある。
【課題を解決するための手段】
【０００５】
請求項１に記載の腰壁セットでは、壁面に取り付けられる厚さの異なる横長矩形状をなした２種類の腰壁用パネルを少なくとも有し、厚さの小さい腰壁用パネルは長手方向の上下両端面の前記壁面の側に切欠段部を設けることによって前記上下両端面に長手方向にわたる凸条が形成され、前記凸条の前記壁面の側は肉厚が先細りとなるようにテーパ面もしくは湾曲面とされており、厚さの大きい腰壁用パネルは長手方向の上下両端面に前記凸条と嵌合する凹溝が長手方向にわたって形成され、前記２種類の腰壁用パネルは表面側に凹凸が現れるように前記凸条と凹溝が嵌合しながら交互に接合され、前記壁面に取り付けられるようにしたことを特徴とするものである。
【０００６】
請求項２に記載の腰壁セットでは、壁面に取り付けるための厚さの異なる横長矩形状をなした２種類の腰壁用パネルを少なくとも有し、厚さの小さい腰壁用パネルは長手方向の上下両端面の前記壁面の側に切欠段部を設けることによって前記上下両端面に長手方向にわたる凸条が形成され、厚さの大きい腰壁用パネルは長手方向の上下両端面に前記凸条と嵌合する凹溝が長手方向にわたって形成され、前記凹溝の前記壁面の側の内壁面は肉厚が先細りとなるようにテーパ面もしくは湾曲面とされており、前記２種類の腰壁用パネルは表面側に凹凸が現れるように前記凸条と凹溝が嵌合しながら交互に接合され、前記壁面に取り付けられるようにしたことを特徴とするものである。
【０００７】
請求項３に記載の腰壁セットでは、前記請求項１または請求項２に記載の腰壁セットの構成に加えて、前記２種類の腰壁用パネルが交互に接合された際の前記凸条と凹溝の関係において、前記凸条根元付近または前記凹溝の溝底付近に前記テーパ面もしくは湾曲面の形成されていない部分が存在し、この部分においてほぼ隙間なく嵌合状態となることを特徴とするものである。
【０００８】
請求項４に記載の腰壁セットでは、前記請求項１から請求項３のいずれかに記載の腰壁セットの構成に加えて、前記凸条の突出長さが、前記凹溝の深さよりも短いことを特徴とするものである。
【発明の効果】
【０００９】
請求項１記載の発明によれば、厚さの小さい腰壁用パネルの、この長手方向にわたって形成された凸条の壁面側の面は、肉厚が先細りとなるようにテーパ面もしくは湾曲面となされているので、厚さの大きい腰壁用パネルの凹溝に前記凸条を嵌合させる際、前記厚さの小さい腰壁用パネルは壁面に対して斜め手前に傾けた状態で前記凹溝へ嵌合させることができる。したがって、前記厚さの小さい腰壁用パネルの裏面に両面テープと接着剤を併用して設けた場合、前記厚さの小さい腰壁用パネルに設けた前記両面テープが嵌合途中で前記壁面に接して嵌合の支障のおそれがなくなり、結果的に腰壁用パネル同士を容易に凹凸接合でき、前記壁面にしっかりと取り付けることができる。
【００１０】
請求項２記載の発明によれば、厚さの小さい腰壁用パネルにおける長手方向の上下両端面に長手方向にわたる凸条が形成され、厚さの大きい腰壁用パネルにおける長手方向の上下両端面に前記凸条と嵌合する凹溝が長手方向にわたって形成され、前記凹溝において取付対象である壁面の側の内壁面は肉厚が先細りとなるようにテーパ面もしくは湾曲面となされているので、前記厚さの大きい腰壁用パネルの前記凹溝に前記凸条を嵌合させる際、前記厚さの小さい腰壁用パネルは前記壁面に対して斜め手前に傾けた状態で前記凹溝へ嵌合させることができる。したがって、前記厚さの小さい腰壁用パネルの裏面に両面テープと接着剤を併用して設けた場合、前記厚さの小さい腰壁用パネルの裏面に設けた前記両面テープが前記壁面に接して嵌合の支障のおそれがなくなり、結果的に腰壁用パネル同士を容易に凹凸接合でき、前記壁面にしっかりと取り付けることができる。
【００１１】
請求項３記載の発明によれば、前記２種類の腰壁用パネルが交互に接合された際の凸条と凹溝の関係において、前記凸条根元付近または前記凹溝の溝底付近にテーパ面もしくは湾曲面の形成されていない部分が存在し、この部分においてほぼ隙間なく嵌合することにより嵌合の手応えが分かりやすく、かつ確実に嵌合することができる。さらに前記壁面に固着された腰壁セット全体の表面に浮き沈みが生じるのを防ぐことができる。
【００１２】
請求項４記載の発明によれば、前記凸条の突出長さを前記凹溝の深さよりも短くすることによって、前記請求項１ないし請求項３のいずれかに記載の発明の前記効果に加えて、凸条の先端部が凹溝の溝底に当接する場合よりも、容易に嵌合の手応えを確認することができる。
【図面の簡単な説明】
【００１３】
【図１】第１の実施形態における厚さの小さい腰壁用パネルを示す側面図
【図２】第１の実施形態における厚さの大きい腰壁用パネルを示す側面図
【図３】第１の実施形態における厚さの大きい腰壁用パネルに厚さの小さい腰壁用パネルを取り付けている過程を示す断面図
【図４】図３の取り付け後、さらに厚さの大きい腰壁用パネルを取り付けている過程を示す断面図
【図５】第２の実施形態における厚さの小さい腰壁用パネルを示す側面図
【図６】第２の実施形態における厚さの大きい腰壁用パネルを示す側面図
【図７】第２の実施形態における厚さの大きい腰壁用パネルに厚さの小さい腰壁用パネルを取り付けている過程を示す断面図
【図８】図７の取り付け後、さらに厚さの大きい腰壁用パネルを取り付けている過程を示す断面図
【図９】従来の壁面材を取り付けた状態を示す斜視図
【発明を実施するための形態】
【００１４】
以下、図面を参照して本願発明の実施の形態および壁面への取り付け方法について説明する。
図１から図４は第１の実施の形態を示しており、まず図１では、木質基材1の表面２から長手方向の上下両端面３にわたって、化粧シート４が貼着された厚さの異なる２種類の横長矩形状腰壁用パネルのうち厚さの小さい腰壁用パネルＡが、長手方向の上下両端面３の壁面９の側に切欠段部５を設けることによって、前記上下両端面３に長手方向にわたる凸条６が形成され、前記凸条６の前記壁面９側の面が、肉厚が先細りとなるようにテーパ面７とされている。また図２では、同様に木質基材１の表面２から上下端面３にわたって化粧シート４が貼着された厚さの大きい腰壁用パネルＢは、長手方向の前記上下端面３に前記凸条６と嵌合する凹溝８が長手方向にわたって形成されている。
【００１５】
木質基材1としては、インシュレーションボード、ＭＤＦ、ＨＤＦあるいはハードボード等の木質繊維板、合板、パーティクルボード、配向性ストランドボード（ＯＳＢ）、ＬＶＬ、集成材、無垢材等の木質板が挙げられる。また、厚みについては特に限定しないが、３〜２４ｍｍ程度が好ましく、４〜１５ｍｍ程度がより好ましい。また、化粧シート４としては、合成樹脂シート、樹脂含浸紙等が挙げられる。これらの厚さは、２０〜３００μｍ程度が好ましい。
【００１６】
次に図３に示すように、まず厚さの大きい腰壁用パネルＢについては床面１０に接するようにして、化粧シート４が貼着されていない裏面を壁面９へ両面テープと接着剤（共に図示せず）を介して取り付ける。そして上端面側の前記凹溝８における壁面９の側の内壁面に厚さの小さい腰壁用パネルＡの下端面側凸条６のテーパ面７を壁面に対して斜め手前に傾けるように合わせ、予め裏面に両面テープと接着剤が設けられた前記厚さの小さい腰壁用パネルＡ全体を壁面９側へ徐々に傾きを直すように起こしていくと、凸条６の表面側は前記腰壁用パネルＡの表面と同一平面上で滑らかになっているため、自重で前記凸条６が前記凹溝８へと嵌まり（図示せず）、最後には鉛直方向へ指で力を加えると（図示せず）、後述する図４のように完全に嵌合される。したがって、前記厚さの小さい腰壁用パネルＡの裏面に両面テープと接着剤を併用して設けた場合、前記厚さの小さい腰壁用パネルＡの裏面に設けた前記両面テープが嵌合途中で前記壁面９に接してくっついて、その後の取り付け作業に支障をきたすおそれがなくなり、腰壁用パネル同士を容易に凹凸接合でき、前記壁面９にしっかりと取り付けることができる。
【００１７】
さらに図４に示すように、前記厚さの大きい腰壁用パネルＢの前記下端面側の凹溝８の壁面９の側の内壁面１１を、前記厚さの小さい腰壁用パネルＡの前記凸条６のテーパ面７に壁面９に対して斜め手前に傾けるように合わせ、前記厚さの大きい腰壁用パネルＢ全体を壁面９側へ徐々に傾きを直すように起こしていくと、凸条６の表面側は前記腰壁用パネルＡの表面と同一平面上で滑らかになっているため、自重で前記凹溝８が前記凸条６へと
嵌まり（図示せず）、最後には鉛直方向へ指で力を加えると完全に嵌合される（図示せず）。以下同じ方法で前記２種類の横長矩形状腰壁用パネルが交互に接合され、腰壁セットの壁面９への取り付けが完成となる。
【００１８】
図５から図８は第２の実施の形態を示しており、まず図５では、木質基材１の表面２から上下両端面３にわたって化粧シート４が貼着された、厚さの異なる２種類の横長矩形状腰壁用パネルのうち厚さの小さい腰壁用パネルＡについて、この長手方向の上下両端面３の前記壁面９の側に切欠段部５を設けることによって前記上下両端面３に長手方向にわたる凸条６が形成されている。また、図６では、同様に木質基材１の表面２から上下両端面３にわたって化粧シート４が貼着された、厚さの大きい腰壁用パネルＢについて、この長手方向の上下両端面３に前記凸条６と嵌合する凹溝８が長手方向にわたって形成されており、前記凹溝８において取付対象面となる壁面９の側の内壁面は肉厚が先細りとなるようにテーパ面７とされている。そして、前記２種類の腰壁用パネルＡ、Ｂが交互に接合された際の前記凸条と凹溝の関係において、前記凹溝の溝底付近にテーパ面の形成されていない部分が存在し、この部分においてほぼ隙間なく嵌合することにより嵌合の手応えが分かりやすく、かつ確実に嵌合することができる。
【００１９】
図７に示すように、まず厚さの大きい腰壁用パネルＢについて、床面１０に接するようにして化粧シート（図示せず）が貼着されていない裏面を壁面９へ両面テープと接着剤（図示せず）を介して取り付ける。そして、上端面側の前記凹溝８の壁面９の側の内壁面にあるテーパ面７に、厚さの小さい腰壁用パネルＡの前記凸条６の壁面９の側の先端部を壁面９に対して斜め手前に傾けるように合わせ、前記小さい腰壁用パネルＡ全体を壁面９側へ傾きを起こしていくと、前記凸条６の表面側は前記腰壁用パネルＡの表面と同一平面上で滑らかになっているため、自重で前記凸条６が前記凹溝８へと嵌まる（図示せず）。そして、前記２種類の腰壁用パネルＡ、Ｂが接合された際の凸条と凹溝の関係において、前記凹溝の溝底付近にテーパ面の形成されていない部分が存在しているので、この部分においてほぼ隙間なく嵌合することにより嵌合の手応えが分かりやすく、かつ確実に嵌合することができる。さらに加えて前記壁面９に固着された腰壁セット全体の表面に浮き沈みが生じることを防ぐことができる。最後には鉛直方向へ指で力を加えると（図示せず）、図８に示すように完全に嵌合される。したがって、前記厚さの小さい腰壁用パネルＡの裏面に両面テープと接着剤を併用して設けた場合、前記厚さの小さい腰壁用パネルＡに設けた前記両面テープが嵌合途中で前記壁面９に接してくっついて、その後の取り付け作業に支障をきたすおそれがなくなり、腰壁用パネル同士を容易に凹凸接合でき、前記壁面９にしっかりと取り付けることができる。
【００２０】
次に図８に示すように、前記厚さの大きい腰壁用パネルＢの下端面に設けられた凹溝８の壁面９の側の内壁面にあるテーパ面７を、壁面９に対して手前に傾斜するように厚さの小さい腰壁用パネルＡの前記凸条６の壁面９の側の先端部１２に合わせ、さらに前記厚さの大きい腰壁用パネルＢ全体を壁面９側へ傾きを起こしていくと、前記凸条６の表面側は前記腰壁用パネルＡの表面と同一平面上で滑らかになっているため、自重で前記凸条６が前記凹溝８へと嵌まり（図示せず）、最後には鉛直方向へ指で力を加えると完全に嵌合される（図示せず）。以下、上述した凹溝と凸条の嵌合を繰り返し、前記２種類の腰壁用パネルＡ、Ｂが交互に接合され、腰壁セットの完成となる。なお、前記凸条６の突出長さを前記凹溝８の深さよりも短くすることによって、前記凸条の先端部が前記凹溝の溝底に当接する場合よりも、容易に嵌合の手応えを確認することができる。
【符号の説明】
【００２１】
Ａ    厚さの小さい腰壁用パネル
Ｂ    厚さの大きい腰壁用パネル
１    木質基材
２    表面
３    上下両端面
４    化粧シート
５    切欠段部
６    凸条
７    テーパ面
８    凹溝
９    壁面
１０  床面
１１  壁面の側の内壁面
１２  壁面の側の先端部
【図１】
2016191235.tif 000003
【図２】
2016191235.tif 000004
【図３】
2016191235.tif 000005
【図４】
2016191235.tif 000006
【図５】
2016191235.tif 000007
【図６】
2016191235.tif 000008
【図７】
2016191235.tif 000009
【図８】
2016191235.tif 000010
【図９】
2016191235.tif 000011